(57)【要約】【課題】  電話装置の設定作業を包装箱の開梱および梱包をすることなく行えるようにしたことによって作業時間を短縮する。【解決手段】  電話装置の包装箱１は１枚の段ボールから裁断し折り曲げによって形成され、電話装置２，ハンドセット３，電源アダプター４が収容される。包装箱１の一部には、第１および第２の舌片４５，５０が設けられ、第１の舌片４５は折り目４４，４６，４７に沿って折り曲げられることにより、押圧部４８ｂが形成される。押圧部４８ｂをフックスイッチ７７に対接させ、第２の舌片５０を折り目４９に沿って折り曲げ、上面部５６の切り込み５６ａに挿入することにより第１の舌片４５の浮き上がりを規制する。この状態で、押圧部４８ｂによってフックスイッチ７７がオンフック状態に保持されるから電話装置２を包装箱１内に収容したままで、かつオンフック状態で設定作業を行う。【選択図】  図１
2006062683.tif 000002
【特許請求の範囲】
【請求項１】
フックスイッチおよび設定用のインターフェイスを備えた電話装置を包装しこの電話装置を取り出すための開閉自在な蓋を設けた電話装置の包装箱であって、包装された電話装置のインターフェイスに対向する部位に開閉自在な窓を設けるとともに、一部に前記フックスイッチをオンフック状態とする押圧部を設けたことを特徴とする電話装置の包装箱。
【請求項２】
請求項１記載の電話装置の包装箱において、
前記包装箱を１枚の段ボールを裁断し折り曲げによって形成し、この段ボールの一部に第１の舌片を設け、第１の舌片を折り曲げて前記押圧部としたことを特徴とする電話装置の包装箱。
【請求項３】
請求項２記載の電話装置の包装箱において、
前記段ボールの一部に第２の舌片を設け、この第２の舌片を段ボールの切り込みに挿入することにより前記押圧部の浮き上がりを規制する係止片としたことを特徴とする電話装置の包装箱。
【請求項４】
フックスイッチおよび設定用のインターフェイスを備えた電話装置を包装しこの電話装置を取り出すための開閉自在な蓋を設けた電話装置の包装箱であって、包装された電話装置のインターフェイスに対向する部位に開閉自在な窓を設けるとともに、前記蓋を閉じた状態でこの蓋と前記フックスイッチとの間に介在しフックスイッチをオンフック状態に保持する介在物を設けたことを特徴とする電話装置の包装箱。
【発明の詳細な説明】
【技術分野】
【０００１】
本発明は、電話装置毎に個別の設定を必要とする電話装置を包装する電話装置の包装箱に関するものである。
【背景技術】
【０００２】
例えば、インターネット・プロトコル電話装置（以下、ＩＰ電話装置という）においては、利用者に納品する以前に予め、電話装置を識別するためのＩＰアドレス、電話装置が使用する内線番号、電話装置を認証するためのユーザーＩＤ等の設定を行う必要がある。この設定作業は、電話装置のインターフェイス、例えばライン接続部に設定用のケーブルの一端側を接続し、他端側を設定装置に接続して行っている。一方、この設定作業とは別に、設定済みの電話装置を利用者の会社等（以下、現場という）において設置する設置作業と、設置された電話装置を調整する調整作業が必要になる。この設置作業と調整作業とは現場において行うため、限られた時間内で行う必要があり、特に一度に多数の電話装置を設置する場合には、設置作業および調整作業と同時に設定作業を行うことが時間的に困難になることがある。この場合には、設定作業を設置作業および調整作業と切り離して設置作業および調整作業をする以前に予め現場とは別の場所で設定作業を終了させておき、現場においては設置作業および調整作業のみを行うようにしていた。
【０００３】
ところが、この方法では設定作業をするために電話装置を包装箱から取り出し、設定が終了したら再び電話装置を包装箱に収容するといったように、本来必要としない包装箱の開梱および梱包の作業を行わなければならないために、無駄な作業時間を費やすことになっていた。この問題を解消するために、電話装置を包装箱から取り出すことなく、包装された状態で設定作業を行うことが要望されていた。例えば、包装箱に本来装置本体の出し入れを行う開口以外に開閉可能な小開口部を設けたものがある（特許文献１参照）。この小開口部を利用して設定作業を行うようにすれば、既に包装されている装置本体を包装箱から取り出すことなく、包装された状態での設定作業が可能になる。なお、本出願人は、本明細書に記載した先行技術文献情報で特定される先行技術文献以外には、本発明に密接に関連する先行技術文献を出願時までに見付け出すことはできなかった。
【特許文献１】特開平６−３２１２８４号公報（段落「０００６」および「０００７」、図１）
【発明の開示】
【発明が解決しようとする課題】
【０００４】
ところで、上述したＩＰ電話装置の設定作業に当たっては、利用者が電話を使用している状態、すなわちフックスイッチからハンドセットを取り上げたオフフック状態で設定が変更されるのを規制するために、ハンドセットをフックスイッチ上に載置させたオンフック状態で行うように要求される場合がある。このような要求があった場合には、上述した従来の包装箱においては、設定作業に必要な小開口部が設けられているだけであるため、オンフック状態とするためにハンドセットをフックスイッチ上に載置する必要があるから、結局、電話装置を包装箱から取り出さねばならなかった。このため、上述した問題と同様に、本来必要としない包装箱の開梱および梱包の作業を行わなければならなくなり無駄な作業時間を費やすことになっていた。
【０００５】
本発明は上記した従来の問題に鑑みなされたものであり、その目的とするところは、電話装置の設定作業を包装箱の開梱および梱包をすることなく行えるようにし、もって作業時間を短縮することにある。
【課題を解決するための手段】
【０００６】
この目的を達成するために、請求項１に係る発明は、フックスイッチおよび設定用のインターフェイスを備えた電話装置を包装しこの電話装置を取り出すための開閉自在な蓋を設けた電話装置の包装箱であって、包装された電話装置のインターフェイスに対向する部位に開閉自在な窓を設けるとともに、一部に前記フックスイッチをＯＮ状態とする押圧部を設けたものである。
【０００７】
請求項２に係る発明は、請求項１に係る発明において、前記包装箱を１枚の段ボールを裁断し折り曲げによって形成し、この段ボールの一部に第１の舌片を設け、第１の舌片を折り曲げて前記押圧部としたものである。
【０００８】
請求項３に係る発明は、請求項２に係る発明において、前記段ボールの一部に第２の舌片を設け、この第２の舌片を段ボールの切り込みに挿入することにより前記押圧部の浮き上がりを規制する係止片としたものである。
【０００９】
請求項４に係る発明は、フックスイッチおよび設定用のインターフェイスを備えた電話装置を包装しこの電話装置を取り出すための開閉自在な蓋を設けた電話装置の包装箱であって、包装された電話装置のインターフェイスに対向する部位に開閉自在な窓を設けるとともに、前記蓋を閉じた状態でこの蓋と前記フックスイッチとの間に介在しフックスイッチをＯＮ状態に保持する介在物を設けたものである。
【発明の効果】
【００１０】
本発明によれば、電話装置の設定に際して包装箱の開梱、梱包作業が不要であるため、作業時間を短縮することができる。
【００１１】
請求項１ないし３に係る発明によれば、フックスイッチの押し下げを段ボールの一部を利用して行うことができるから、オンフック状態とするための部材を特別用意する必要がないため使い勝手が向上する。
【発明を実施するための最良の形態】
【００１２】
以下、本発明の実施の形態を図に基づいて説明する。図１は本発明に係る電話装置の包装箱に電話装置等を収容する状態を示す斜視図、図２は同じく電話装置の包装箱の展開図、図３は同じく電話装置の包装箱の外観斜視図、図４は図３におけるIV-IV 線断面図、図５は同じくフックスイッチを押圧部によってＯＮとした状態を示す要部の斜視図、図６は設定作業を行うためにケーブルを電話装置のインターフェイスに接続した状態を示す要部の斜視図である。
【００１３】
図１で全体を符号１で示す電話装置の包装箱は、上方が開口しこの開口１１が蓋１２によって開閉されるように構成されており、この電話装置の包装箱１内には、ＩＰ電話装置２、ハンドセット３および電源アダプター４が収容される。この電話装置の包装箱１は１枚の段ボールから裁断し折り曲げによって形成されている。すなわち、電話装置の包装箱１は図２に示すように、４つの第１ないし第４の側面部１５，１６，１７，１８と、第１ないし第４の底部２０，２１，２２，２３と、蓋１２と、フックスイッチ押圧部２５と、ハンドセット収容部２６と、電源アダプター収容部２７とが一体に形成されている。
【００１４】
第１の側面部１５は折り目３０，３１，３２，３３に囲まれて長方形に形成されており、折り目３０を介して凸部３５が延設され、折り目３１を介して第１の側面部１５と蓋１２とが連設され、折り目３２を介して第１の側面部１５と第２の側面部１６とが連設され、折り目３３を介して第１の側面部１５と第１の底部２０とが連設されている。蓋１２の折り目３１と反対側の端部には折り目３６を介して凸部３７が延設されている。
【００１５】
第２の側面部１６は折り目３２，３８，３９，４０に囲まれて長方形に形成されており、この第２の側面部１６には折り目４０とミシン目によって形成された３辺４１ａ，４１ｂ，４１ｃとによって囲まれる長方形の窓４１が設けられている。この第２の側面部１６と第２の底部２１とは折り目４０を介して連設されており、この第２の底部２１の折り目４０と反対側の端部には凹部４２が設けられている。
【００１６】
また、第２の側面部１６と折り目３８を介して上面部４３が連設されており、この上面部４３の上端には折り目４４を介して第１の舌片４５が延設され、この第１の舌辺４５には折り目４４と平行な２つの折り目４６，４７が設けられ、第１の舌片４５は、これら折り目４６，４７を境界として第１の保持部４８ａと押圧部４８ｂと第２の保持部４８ｃとに区分される。
【００１７】
このうち、押圧部４８ｂが後述する電話装置２のフックスイッチ７７を押圧してフックスイッチ７７をオンフック状態にする。上面部４３の上部には、折り目４４と直交する折り目４９を介して第２の舌片５０が第１の舌辺４５と直交するように蓋１２側に向かって延設されている。これら第１の舌辺４５と第２の舌辺５０とがフックスイッチ押圧部２５を形成する。
【００１８】
第３の側面部１７は折り目３９，５２，５３，５４に囲まれて上記第１の側面部１５と同一形状の長方形に形成されており、折り目５２の中央部には切り込み５５が設けられている。この第３の側面部１７と折り目５２を介して台形状に形成された上面部５６が延設されており、この上面部５６の上記上面部４３側の一辺５６ａが、後述するように第２の舌辺５０が挿入される切り込みを形成する。上面部５６の上部には折り目５２と対向する折り目５７を介して仕切部５８が延設されており、これら仕切部５８と上面部５６とによってハンドセット収容部２６が形成される。また、第３の側面部１７と第３の底面部２２とは折り目５４を介して連設されている。
【００１９】
第４の側面部１８は３つの折り目５３，６０，６１およびこの側面部１８の側端１８ａに囲まれて上記第２の側面部１６と同一形状の長方形に形成されている。この第４の側面部１８と折り目６０を介して上面部６２が延設され、この上面部６２の上端には折り目６３を介して仕切部６４が延設され、この仕切部６４の上端には折り目６５を介して底面部６６が延設されている。これら上面部６２と仕切部６４と底面部６６とによって電源アダプター４を収容する電源アダプター収容部２７を形成する。
【００２０】
上面部６２には、折り目６７と切り込み６８ａ，６８ｂ，６９，６８ｃとに囲まれた側面部６８と、折り目７０と切り込み７１ａ，７１ｂ、６９，７１ｃとに囲まれた側面部７１とが設けられ、これら両側面部６８，７１とは折り目６７，７０において折り曲げられることにより観音開きする。これら両側面部６８，７１と仕切部６４と底面部６６とによって電源アダプター収容部２７を形成する。第４の側面部１８と第４の底面部２３とは折り目６１を介して連設されており、第４の底面部２３の折り目６１と反対側の端部には上述した第２の底面部２１の凹部４２に係入する凸部７２が設けられている。
【００２１】
図１において、ＩＰ電話装置２の前面パネルの一方の側部には、ハンドセット３の受話部３ａと送話部３ｂとをそれぞれ載置する受話側凹部７５と送話側凹部７６が設けられており、受話側凹部７５の底部にはフックスイッチ７７が設けられている。したがって、ハンドセット３の受話部３ａを受話側凹部７５に載置すると、ハンドセット３の重量によってフックスイッチ７７が押下され、いわゆるオンフック状態となる。また、このＩＰ電話装置２の背面側には、図６に示すように、このＩＰ電話装置２の各種設定を行うために設定用のケーブル８０の一端に設けたモジュラージャック８１が挿入されるインターフェイス７８が設けられている。７９は発信する相手先番号や設定完了後の内線番号等を表示する表示器である。
【００２２】
次に、図２を用いてこのように構成された電話装置の包装箱１の組立方法を説明する。なお、同図において、破線を付した折り目はこの折り目の両側の部材を紙面の裏面方向に折り曲げる場合を示し、二点鎖線を付した折り目はこの折り目の両側の部材を紙面の表面側に折り曲げる場合を示している。先ず、第１ないし第４の側面部１４，１５，１６，１７を折り目３２，３９，５３に沿って紙面の裏面方向に９０°折り曲げ、折り目３０に沿って９０°折り曲げた凸部３５と第４の側面部１８の側端１８ａの縁部とを接着することにより、これら第１ないし第４の側面部１４，１５，１６，１７を枠状に形成する。
【００２３】
次いで、第１の底面部２０と第３の底面部２２とをそれぞれ折り目３３と折り目５４に沿って紙面の裏面方向に９０°折り曲げ、さらに第２の底面部２１と第４の底面部２３とをそれぞれ折り目４０と折り目６１に沿って紙面の裏面方向に９０°折り曲げ、凸部７２を凹部４２に係入することにより、これら第１ないし第４の底面部２０ないし２３によって電話装置の包装箱１の底部が形成される。この状態で、ＩＰ電話装置２とハンドセット３とを電話装置の包装箱１内に収容し、仕切部５８を折り目５７に沿って紙面の裏面方向に９０°折り曲げ、上面部５６を折り目５２に沿って紙面の裏面方向に９０°折り曲げることにより、仕切部５８を電話装置２とハンドセット３との間に挿入する。
【００２４】
しかる後、底面部６６を折り目６５に沿って紙面の裏面方向に９０°折り曲げ、仕切部６４を折り目６３に沿って紙面の裏面方向に９０°折り曲げ、さらに上面部６２を折り目６０に沿って紙面の裏面方向に９０°折り曲げることにより、底面部６６と仕切部６４を電話装置の包装箱１内に収容する。次いで、両側面部６８，７１をそれぞれ折り目６７と折り目７０に沿って紙面の裏面方向に９０°折り曲げることにより、これら両側面部６８，７１と仕切部６４と底面部６６とによって、電源アダプター４を収容する空間が形成されるのでこの空間に電源アダプター４を収容する。
【００２５】
次に、第１の舌片４５を折り目４４，４６，４７に沿って紙面の裏面方向に折り曲げ、上面部４３を折り目３８に沿って紙面の裏面方向に９０°折り曲げると、図４に示すように、押圧部４８ｂがＩＰ電話装置２のフックスイッチ７７に対向する。この状態で、第２の舌片５０を折り目４９に沿って紙面表面側に１８０°折り返し、この第２の舌片５０の先端部を図５に示すように、上面部５６の切り込み５６ａに挿入することにより、この第２の舌片５０によって第１の舌片４５の浮き上がりが規制される。すなわち、第２の舌片４５は、折り目４６に対応した角部が受話側凹部７５の内周面７５ａの下端部に係止されるとともに、先端４８ｄがベース４３の折り目３８に係止されることにより、これら折り目３８と内周面７５ａの下端部とによって挟持され、押圧部４８ｂがフックスイッチ７７を押下した状態、すなわちオンフック状態が保持される。
【００２６】
最後に、凸部３７を折り目３６に沿って紙面の裏面方向に９０°折り曲げ、蓋１２を折り目３１に沿って紙面の裏面方向に９０°折り曲げると、凸部３７が切り込み５５に係入し、電話装置の包装箱１の上方開口１１が閉じられる。この状態で、電話装置の包装箱１内に収容されたＩＰ電話装置２のインターフェイス７８が窓４１に対向している。
【００２７】
次に、図３および図６を用いて、このように電話装置の包装箱１内に収容されたＩＰ電話装置２の設定方法を説明する。予め、蓋１２を開け電話装置の包装箱１の上方開口１１を開放しておく。次いで、図３に示すように、第２の側面部１６の窓４１の３辺４１ａ，４１ｂ，４１ｃをミシン目に沿ってカッター等により切断することにより、窓４１を折り目４０に沿って矢印Ａ方向へ回動させ窓４１を開放する。次いで、設定用のケーブル８０の一端に設けたモジュラージャック８１をＩＰ電話装置２のインタフェース７８に電気的に接続し、設定用のケーブル８０の他端に設けたモジュラージャックを設定装置（いずれも図示せず）に電気的に接続する。
【００２８】
このとき、第１の舌片４５の押圧部４８ｂによってフックスイッチ７７は押し下げらオンフック状態が保持されているため、作業者は設定装置を操作して電話装置の包装箱１内に収容されたＩＰ電話装置２の個別の設定を行う。設定作業が終了し、表示器７９に表示される内線番号を確認したら蓋１２を閉じ、設定用のケーブル８０の一端に設けたモジュラージャック８１をＩＰ電話装置２のインタフェース７から取り外し、窓４１を矢印Ａ方向と反対方向に回動させ窓４１を閉じる。
【００２９】
このように設定作業を行うのに、電話装置の包装箱１内に収容した電話装置２を電話装置の包装箱１から取り出す必要がなく、収容したままの状態で行うことができるため、従来必要としていた開梱および梱包作業が不要になるから作業時間を短縮することができる。また、フックスイッチ７７の押し下げを段ボールの一部を利用して設けた押圧部４８ｂおよび第２の舌片５０によって行うようにしたため、フックスイッチ７７をオンフック状態とするための部材を特別に用意する必要がなく使い勝手が向上する。
【００３０】
なお、本実施の形態においては、電話装置の包装箱１に収容される電話装置をＩＰ電話装置２の例で説明したが、ＩＰ電話装置に限らず設定を必要とし設定用のインタフェースを備えた電話装置であれば本発明の電話装置の包装箱１を適用することができる。また、第１の舌片４５の押圧部４８ｂによってフックスイッチ７７をオンフック状態に保持するために第２の舌片５０を利用したが、蓋１２を閉じたままの状態で設定することができれば蓋１２によって第１の舌片４５の浮き上がりを規制すれば、第２の舌片は必ずしも必要としない。また、段ボールの一部である第１および第２の舌片４５，５０によってフックスイッチ７７をオンフック状態としたが、蓋１２を閉じた状態でこの蓋１２とフックスイッチ７７との間に発泡スチロール等の介在物を介在させ、この介在物によってフックスイッチ７７をオンフック状態に保持するようにしてもよい。
【図面の簡単な説明】
【００３１】
【図１】本発明に係る電話装置の包装箱に電話装置等を収容する状態を示す斜視図である。
【図２】本発明に係る電話装置の包装箱の展開図である。
【図３】本発明に係る電話装置の包装箱の外観斜視図である。
【図４】図３におけるIV-IV 線断面図である。
【図５】本発明に係る電話装置の包装箱において、フックスイッチを押圧部によってＯＮとした状態を示す要部の斜視図である。
【図６】本発明に係る電話装置の包装箱において、設定作業を行うためにケーブルを電話装置のインターフェイスに接続した状態を示す要部の斜視図である。
【符号の説明】
【００３２】
１…電話装置の包装箱、２…ＩＰ電話装置、３…ハンドセット、４…電源アダプター、１２…蓋、２５…フックスイッチ押圧部、２６…ハンドセット収容部、２７…電源アダプター収容部、４１…窓、４５…第１の舌片、４８ｂ…押圧部、５０…第２の舌片、７８…インタフェイス、８０…設定用のケーブル、８１…モジュラージャック。
【図１】
2006062683.tif 000003
【図２】
2006062683.tif 000004
【図３】
2006062683.tif 000005
【図４】
2006062683.tif 000006
【図５】
2006062683.tif 000007
【図６】
2006062683.tif 000008